(57)【要約】【課題】ユーザがプリント物を観察する頻度の高い照明光を考慮し、ユーザが望む最適な色再現となるセルフプリント装置を提供する。【解決手段】セルフプリント装置１は、画像データ、及び、当該画像データに添付されたプロファイル情報又は入力プロファイルを取り込む画像データ取り込み手段と、１つ以上の照明光の中から観察頻度の高い照明光を選択させる選択手段と、入力プロファイルの候補となるプロファイル群と、各照明光に最適化された出力プロファイルとを保持する記憶手段と、プロファイル情報のみを取り込んだ場合は、プロファイル群からプロファイル情報に対応するプロファイルを入力プロファイルとして取得するとともに、選択された照明光に対応する出力プロファイルを取得して、入力プロファイルと出力プロファイルとから、画像データを色変換する色変換手段と、色変換した画像データを印刷する印刷手段と、を備える構成とした。【選択図】図５
2014053677.tif 000002
【特許請求の範囲】
【請求項１】
画像データ、及び、当該画像データに添付されたプロファイル情報又は入力プロファイルを取り込む画像データ取り込み手段と、
１つ以上の照明光の中から観察頻度の高い前記照明光を選択させる選択手段と、
入力プロファイルの候補となるプロファイル群と、各照明光に最適化された出力プロファイルとを保持する記憶手段と、
前記プロファイル情報のみを取り込んだ場合は、前記プロファイル群から前記プロファイル情報に対応するプロファイルを入力プロファイルとして取得するとともに、選択された前記照明光に対応する前記出力プロファイルを取得して、前記入力プロファイルと前記出力プロファイルとから、前記画像データを色変換する色変換手段と、
色変換した前記画像データを印刷する印刷手段と、
を備えることを特徴とするセルフプリント装置。
【請求項２】
前記出力プロファイルは、
前記照明光の分光スペクトルと、印刷手段の印字特性を示す分光反射スペクトルと、等色関数スペクトルとから算出される
ことを特徴とする請求項１に記載のセルフプリント装置。
【請求項３】
前記セルフプリント装置は、さらに、
前記１つ以上の照明光を容易にイメージできる画像を表示する表示手段を備え、
前記選択手段は、前記表示手段に表示された前記画像を選択させることによって、前記観察頻度の高い照明光を選択させる
ことを特徴とする請求項１又は請求項２に記載のセルフプリント装置。
【請求項４】
前記選択手段は、
少なくとも、自然光、一般蛍光灯、色評価用蛍光灯、白熱光、及び、ＬＥＤ光の中から前記照明光を選択させる
ことを特徴とする請求項１乃至請求項３に記載のセルフプリント装置。
【請求項５】
画像データ、及び、当該画像データに添付されたプロファイル情報又は入力プロファイルを取り込む画像データ取り込みステップと、
１つ以上の照明光の中から観察頻度の高い前記照明光を選択させる選択ステップと、
入力プロファイルの候補となるプロファイル群と、各照明光に最適化された出力プロファイルとを保持する記憶部から、前記プロファイル情報のみを取り込んだ場合は、前記プロファイル群から前記プロファイル情報に対応するプロファイルを入力プロファイルとして取得するとともに、選択された前記照明光に対応する前記出力プロファイルを取得して、前記入力プロファイルと前記出力プロファイルとから、前記画像データを色変換する色変換ステップと、
色変換した前記画像データを印刷する印刷ステップと、
を含むことを特徴とするセルフプリント方法。
【請求項６】
コンピュータに、
画像データ、及び、当該画像データに添付されたプロファイル情報又は入力プロファイルを取り込む画像データ取り込みステップと、
１つ以上の照明光の中から観察頻度の高い前記照明光を選択させる選択ステップと、
入力プロファイルの候補となるプロファイル群と、各照明光に最適化された出力プロファイルとを保持する記憶部から、前記プロファイル情報のみを取り込んだ場合は、前記プロファイル群から前記プロファイル情報に対応するプロファイルを入力プロファイルとして取得するとともに、選択された前記照明光に対応する前記出力プロファイルを取得して、前記入力プロファイルと前記出力プロファイルとから、前記画像データを色変換する色変換ステップと、
色変換した前記画像データを印刷する印刷ステップと、
を実行させるためのセルフプリントプログラム。
【発明の詳細な説明】
【技術分野】
【０００１】
本発明は、ユーザがデジタルカメラで撮影した画像データを持ち込んでプリントできるセルフプリントシステムに関し、特に、画像データに色変換等を施してプリントするセルフプリントシステムに関するものである。
【背景技術】
【０００２】
近年、ユーザがデジタルカメラで撮影した画像データを持ち込んでプリントできるセルフプリントシステムが、いたるところに設置されている。
【０００３】
これらのセルフプリントシステムは、画像データに対して、画像の飛び補正やつぶれ補正、シャープネス（鮮鋭化）、コントラスト補正、ホワイトバランス補正、肌補正等、印刷前にユーザが好む色品質に自動補正する画像補正処理を行っており、高品位な写真プリント（プリント物）を得ることができる。
【０００４】
また、セルフプリントシステムは、入力される画像データ（デジタルカメラ等）のＲＧＢ色空間から、プリンタのＣＭＹ（Ｋ）色空間への色変換を行って印刷を行う。一般に、上記色変換を実施する手段としてはＩＣＣ（International Color Consortium）プロファイルを利用するケースが多い。ＩＣＣプロファイルとは、機器に依存する色空間（デバイス依存色）と、機器に依存しない色空間（デバイス非依存色）との対応関係を記述した色の対応関係のテーブルである。
画像データの入力ＩＣＣプロファイルと、プリンタのＩＣＣプロファイルを利用して、色変換を行う。これらのＩＣＣプロファイルを利用した色変換処理は、ある特定の照明光の下で最適な色再現となるように色変換処理される。
【０００５】
このため、セルフプリントシステムは、画像補正処理により最適な補正処理を行っても、ある特定の照明光のみで最適化された写真プリントを印刷することとなる。ユーザが写真プリントを観察する頻度の高い照明光（例えば、蛍光灯や白熱灯）は、ユーザ毎にまちまちであり、その観察照明光によって、写真プリントの見え方は変化する。
【０００６】
一方、ユーザのデジタルカメラ等による写真の撮影は、平均的な昼光、蛍光灯、ストロボのフラッシュなど、様々な光源の下で行われる。この光源が有する光の波長成分（ホワイトバランス）が撮影した写真に反映され、不適正な写真となってしまうことがある。このホワイトバランスの補正を行う技術が、例えば、特許文献１に開示されている。
【０００７】
特許文献１には、ホワイトバランス補正手段を含む画像補正手段と、色調整キーや色温度調整キー等から入力を受け付ける色／温度調整手段とを備える画像処理装置であって、色温度調整キーで複数の色を変更することで、画像のホワイトバランスを保ちつつ画像の色調整を行うことができる発明が記載されている。これにより、十分な技術を持たないオペレータであっても、単純に色温度を上げる又は下げる等の感覚で、簡単に画像の色調整を行うことができる。
【先行技術文献】
【特許文献】
【０００８】
【特許文献１】特開２００６−１０１２９７号公報
【発明の概要】
【発明が解決しようとする課題】
【０００９】
前述したように、セルフプリントシステムにおいては、画像補正処理により最適な補正処理を行っても、ある特定の照明光のみで最適化されたプリント物が印刷されるため、ユーザがプリント物を観察する頻度の高い照明光と特定の照明光とが一致しない場合には、ユーザが望む最適な色再現となっていないという問題点ある。
【００１０】
また、特許文献１の発明では、色調整がオペレータによる手動調整なため、セルフプリントシステムには適用できず、さらに、ユーザがプリント物を観察する頻度の高い照明光を考慮していないという問題がある。
【００１１】
本発明は、かかる課題を解決するためになされたものであり、ユーザがプリント物を観察する頻度の高い照明光を考慮し、ユーザが望む最適な色再現となるセルフプリント装置を提供することを目的とする。
【課題を解決するための手段】
【００１２】
前述した課題を解決するために第１の発明は、画像データ、及び、当該画像データに添付されたプロファイル情報又は入力プロファイルを取り込む画像データ取り込み手段と、１つ以上の照明光の中から観察頻度の高い前記照明光を選択させる選択手段と、入力プロファイルの候補となるプロファイル群と、各照明光に最適化された出力プロファイルとを保持する記憶手段と、前記プロファイル情報のみを取り込んだ場合は、前記プロファイル群から前記プロファイル情報に対応するプロファイルを入力プロファイルとして取得するとともに、選択された前記照明光に対応する前記出力プロファイルを取得して、前記入力プロファイルと前記出力プロファイルとから、前記画像データを色変換する色変換手段と、色変換した前記画像データを印刷する印刷手段と、を備えることを特徴とするセルフプリント装置である。
第１の発明によって、個々のユーザがプリント物の観察頻度の高い照明光に適した色再現を実現することが可能である。
【００１３】
「入力プロファイル」とは、デバイス固有のＲＧＢ色空間と、デバイスに依存しないＬ＊ａ＊ｂ＊（又はＸＹＺ）色空間との、色の対応関係を示す情報である。
「出力プロファイル」とは、印刷手段（プリンタ）に固有のＣＭＹＫ色空間と、デバイスに依存しないＬ＊ａ＊ｂ＊（又はＸＹＺ）色空間との、色の対応関係を示す情報である。
「プロファイル情報」とは、主にＥｘｉｆ（Exchangeable image
file format）として記録される色空間の情報である。
【００１４】
第１の発明の出力プロファイルは、前記照明光の分光スペクトルと、印刷手段の印字特性の分光反射スペクトルと、等色関数スペクトルとから算出されることが望ましい。
これによって、セルフプリント装置は、各照明光と、印刷手段の印字特性とに適合した出力プロファイルを取得できる。
【００１５】
第１の発明のセルフプリント装置は、さらに、前記１つ以上の照明光を容易にイメージできる画像を表示する表示手段を備え、前記選択手段は、前記表示手段に表示された前記画像を選択させることによって、前記観察頻度の高い照明光を選択させることが望ましい。
これによって、セルフプリント装置は、ユーザに照明光を容易にイメージできる画像から簡単に、観察頻度の高い照明光を選択させることができる。
【００１６】
第１の発明の選択手段は、少なくとも、自然光、一般蛍光灯、色評価用蛍光灯、白熱光、及び、ＬＥＤ光の中から前記照明光を選択させることが望ましい。
これによって、セルフプリント装置は、一般的な照明光から、ユーザに観察頻度の高い照明光を選択させることができる。
【００１７】
第２の発明は、画像データ、及び、当該画像データに添付されたプロファイル情報又は入力プロファイルを取り込む画像データ取り込みステップと、１つ以上の照明光の中から観察頻度の高い前記照明光を選択させる選択ステップと、入力プロファイルの候補となるプロファイル群と、各照明光に最適化された出力プロファイルとを保持する記憶部から、前記プロファイル情報のみを取り込んだ場合は、前記プロファイル群から前記プロファイル情報に対応するプロファイルを入力プロファイルとして取得するとともに、選択された前記照明光に対応する前記出力プロファイルを取得して、前記入力プロファイルと前記出力プロファイルとから、前記画像データを色変換する色変換ステップと、色変換した前記画像データを印刷する印刷ステップと、を含むことを特徴とするセルフプリント方法である。
第２の発明によって、個々のユーザがプリント物の観察頻度の高い照明光に適した色再現を実現することが可能である。
【００１８】
第３の発明は、画像データ、及び、当該画像データに添付されたプロファイル情報又は入力プロファイルを取り込む画像データ取り込みステップと、１つ以上の照明光の中から観察頻度の高い前記照明光を選択させる選択ステップと、入力プロファイルの候補となるプロファイル群と、各照明光に最適化された出力プロファイルとを保持する記憶部から、前記プロファイル情報のみを取り込んだ場合は、前記プロファイル群から前記プロファイル情報に対応するプロファイルを入力プロファイルとして取得するとともに、選択された前記照明光に対応する前記出力プロファイルを取得して、前記入力プロファイルと前記出力プロファイルとから、前記画像データを色変換する色変換ステップと、色変換した前記画像データを印刷する印刷ステップと、を実行させるためのセルフプリントプログラムである。
第３の発明を汎用のコンピュータにインストールすることによって、第１の発明のセルフプリント装置を得て、第２の発明のセルフプリント方法を実行することができる。
【発明の効果】
【００１９】
本発明のセルフプリント装置によって、個々のユーザの観察頻度の高い照明光に適した色再現がなされたプリント物を提供することができる。
【図面の簡単な説明】
【００２０】
【図１】セルフプリント装置の概要を示す図
【図２】入力プロファイルと出力プロファイルの例、及び、それらの対応関係を示す図
【図３】色変換テーブルの例を示す図
【図４】セルフプリント装置のハードウェア構成を示すブロック図
【図５】セルフプリント装置の機能ブロック図
【図６】照明光（照明のタイプ）の選択画面の例を示す図
【図７】画像補正方法の選択画面の例を示す図
【図８】セルフプリント装置の処理を示すフローチャート
【図９】セルフプリント装置用の出力プロファイルの作成処理を示すフローチャート
【発明を実施するための形態】
【００２１】
以下、図面に基づいて、本発明の実施形態を詳細に説明する。
図１は、セルフプリント装置１の概要を示す図である。
まず、セルフプリント装置１のユーザ（図示しない）は、セルフプリント装置１に持参した画像データを入力する。画像データは、ＵＳＢメモリ、ＣＤ−Ｒ等の記憶媒体や、携帯端末等から入力される。
【００２２】
次に、ユーザは、図示しないモニタに表示されるＬＥＤ光や、自然光、蛍光灯等の複数の照明光の選択肢の中から１つの照明光を選択する。
【００２３】
すると、セルフプリント装置１は、入力された画像データに対して、ユーザが好む色品質に画像補正を自動で行うとともに、選択された照明光に基づいた色変換を行って、画像補正及び色変換を施した画像データをプリント物（写真プリント）として印刷する。
【００２４】
［色変換の概要］
ここで、色変換の概要について説明する。
一般に、デジタルカメラ等で撮影したＲＧＢの画像データを、プリンタ等で印刷する際に用いるＣＭＹＫの画像データに変換する場合には、ＩＣＣ（International Color Consortium）プロファイルを利用する。
【００２５】
ＩＣＣプロファイルとは、機器に依存する色空間（デバイス依存色）と、機器に依存しない色空間（デバイス非依存色）との対応関係を記述した色の対応関係を表す情報である。
【００２６】
デバイス依存色として、デジタルカメラ等では、ＲＧＢ色空間が用いられ、プリンタ等では、ＣＭＹＫ色空間が用いられる。デバイス非依存色として、後述するＣＩＥ（Commission Internationale de l'Eclairage）  Ｌ＊ａ＊ｂ＊色空間や、ＣＩＥ  ＸＹＺ色空間が用いられる。
【００２７】
ＩＣＣプロファイルには、主に、ＬＵＴ（Look Up Table）型とマトリクス型がある。
図２にＬＵＴ型の例を示す。図２（ａ）は、デジタルカメラ等のＩＣＣプロファイル（ＲＧＢとＬ＊ａ＊ｂ＊との色対応関係）の例を示したものである。図２（ｂ）は、プリンタのＩＣＣプロファイル（ＣＭＹＫとＬ＊ａ＊ｂ＊との色対応関係）の例を示したものである。
【００２８】
ＩＣＣプロファイルによる色変換は、入力機器の入力プロファイルと出力機器の出力プロファイルの２つのＩＣＣプロファイルを用いて行う。すなわち、図２に示したように、入力プロファイルと出力プロファイルにおいて、両プロファイルのデバイス非依存色Ｌ＊ａ＊ｂ＊（又はＸＹＺ）を共通キーとして、入力機器（ＲＧＢ）の色空間から出力機器（ＣＭＹＫ）の色空間へ、色変換を行う。図２、図３がＲＧＢ色空間からＣＭＹＫ色空間に変換する際の色変換概念を示す。
【００２９】
実際には、一般的なデジタルカメラから出力される画像データの色空間（ＲＧＢ）は、ＩＥＣ（国際電気標準会議）が策定した色空間の国際標準規格であるsＲＧＢや、Adobe Systemsが定義しているAdobeRGBであるケースが多く、これらのＩＣＣプロファイルはマトリクス型である。マトリクス型プロファイルの場合は、行列計算によって、デバイス依存色ＲＧＢからデバイス非依存色へ変換する（ＲＧＢ→ＸＹＺ（Ｌ＊ａ＊ｂ＊））。
出力側では、前述のようにＬＵＴ型を用いて、デバイス非依存色ＸＹＺからデバイス依存色ＣＭＹＫへの変換を行う。
【００３０】
このようにすることにより、撮影した画像データの色を、印刷するプリント物に再現することができる。
なお、後述するように、出力プロファイルは、照明光の分光スペクトル（分光分布）に依存して作成される。
【００３１】
［セルフプリント装置のハードウェア構成］
図４は、セルフプリント装置１のハードウェア構成を示すブロック図である。なお、図２のハードウェア構成は一例であり、用途、目的に応じて様々な構成をとることが可能である。
【００３２】
セルフプリント装置１を実現するコンピュータ１１は、制御部１１１、記憶部１１２、通信制御部１１３、入力部１１４、周辺機器Ｉ／Ｆ部１１５等がバス１１６を介して接続されて構成され、表示部１２、操作部１３、メディア入出力部１４、ＮＦＣリーダ／ライタ１５、印刷部１６を制御する。
【００３３】
制御部１１１は、ＣＰＵ（Central Processing Unit）、ＲＯＭ（Read Only Memory）、ＲＡＭ（Random Access Memory）等で構成される。ＣＰＵは、記憶部１１２、ＲＯＭ、記録媒体等に格納されるプログラムをＲＡＭ上のワークメモリ領域に呼び出して実行し、バス１１６を介して接続された各装置を駆動制御し、セルフプリント装置１が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１１２、ＲＯＭ、記録媒体等からロードしたプログラム、データ等を一時的に保持するとともに、制御部１１１が各種処理を行う為に使用するワークエリアを備える。
【００３４】
記憶部１１２は、例えば、ＨＤＤ（Hard Disk Drive）であり、制御部１１１が実行するプログラム、プログラム実行に必要なデータ、ＯＳ（Operating System）等が格納される。プログラムに関しては、ＯＳに相当する制御プログラムや、後述する処理をコンピュータに実行させるためのアプリケーションプログラムが格納されている。これらの各プログラムコードは、制御部１１１により必要に応じて読み出されてＲＡＭに移され、各種の手段として実行される。
【００３５】
通信制御部１１３は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。
また、通信制御部１１３は、Ｗｉ−Ｆｉ接続、Ｂｌｕｅｔｏｏｔｈ（登録商標）接続、及び、赤外線通信による接続のインターフェースを備えてもよく、これらの通信は、ユーザの所有する携帯端末等からの画像データの入力に用いられる。
【００３６】
入力部１１４は、管理用として使われるもので、データの入力を行い、例えば、キーボード、マウス等のポインティングデバイス、テンキー等の入力装置を有する。入力部１１４を介して、コンピュータ１１に対して、操作指示、動作指示、データ入力等を行うことができる。
【００３７】
周辺機器Ｉ／Ｆ（インタフェース）部１１５は、コンピュータ１１に周辺機器を接続させるためのポートであり、周辺機器Ｉ／Ｆ部１１５を介してコンピュータ１１は周辺機器（表示部１２、操作部１３、メディア入出力部１４、ＮＦＣリーダ／ライタ１５、印刷部１６）とのデータの送受信を行う。周辺機器Ｉ／Ｆ部１１５は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。特に、ＵＳＢポートは、ユーザによるＵＳＢメモリからの画像データの入力に用いられる。
【００３８】
バス１１６は、各装置間の制御信号、データ信号等の授受を媒介する経路である。
【００３９】
表示部（モニタ）１２は、ＣＲＴモニタ、液晶パネル等のディスプレイ装置であって、ディスプレイ装置と連携してコンピュータのビデオ機能を実現するための論理回路等（ビデオアダプタ等）を有する。
【００４０】
操作部１３は、複数のボタンや、操作用スティック等から構成される。操作部１３は、表示部１２に表示されるアイコン等の画像を選択するために用いるものである。なお、操作部１３は、物理的デバイスを設けずに、表示部１２をタッチパネルディスプレイとして、操作部１３の機能も兼ねさせるのが好ましい。
【００４１】
メディア入出力部１４（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等の光ディスクドライブ、及び、ＳＤカード、ｍｉｃｒｏＳＤカード、スマートメディア、コンパクトフラッシュ（登録商標）、メモリースティック等の各種メモリカードのカードリーダのメディア入出力装置を有する。これらは、ユーザによる画像データの入力に用いられる。
【００４２】
ＮＦＣ（Near Field Communication）リーダ／ライタ１５は、携帯端末等と近距離無線通信によるデータ送受信を行うものである。これは、ユーザによる画像データの入力に用いられる。ＮＦＣリーダ／ライタはなくてもよい。
【００４３】
印刷部１６は、ユーザの入力した画像データ等を印刷する高解像度カラープリンタであり、熱転写型あるいはインクジェット型など、プリンタ方式は特に問わない。
【００４４】
［セルフプリント装置の機能ブロックの説明］
図５を用いて、セルフプリント装置１の機能ブロックを説明する。なお、セルフプリント装置１の機能は、本実施形態との関係において、ハードウェア及びソフトウェアによって、少なくともこれらの機能が実現されているものであり、その他の機能が実現されていてもよい。
【００４５】
セルフプリント装置１は、画像データ取り込み手段２１、選択手段２２、画像補正手段２３、記憶手段２４、色変換手段２５、及び、印刷手段２６から構成される。
【００４６】
画像データ取り込み手段２１は、図４の主に、通信制御部１１３、周辺機器Ｉ／Ｆ部１１５、メディア入出力部１４、及び、ＮＦＣリーダ／ライタ１５により実現される。
選択手段２２、画像補正手段２３、及び、色変換手段２５は、図４の記憶部１１２に記憶されているアプリケーションをＲＡＭに読み出して、制御部１１１が実行することにより、実現される。また、選択手段２２は、図４の操作部１３により情報が選択される。
記憶手段２４は、図４の主に記憶部１１２により実現される。
印刷手段２６は、図４の主に印刷部１６により実現される。
【００４７】
画像データ取り込み手段２１は、ユーザの持参した画像データ、及び、当該画像データに添付されているプロファイル情報又は入力プロファイルを取り込むものである。画像データ取り込み手段２１は、取り込んだ画像データを画像補正手段２３へ出力し、プロファイル情報又は入力プロファイルを色変換手段２５へ出力する。
【００４８】
ユーザの持参する画像データは、デジタルカメラや、スマートフォン等の携帯端末の備えるカメラから、デジタル写真として撮影されたものである。
入力方法には、ＵＳＢメモリ、ＣＤ−Ｒ及びＤＶＤ−Ｒ等の光ディスク、ＳＤカード及びＭＳＤカード等のメモリカードによる入力方法や、携帯端末等からのＷｉ−Ｆｉ通信、赤外線通信、ＮＦＣ通信等による入力方法がある。
【００４９】
画像データ取り込み手段２１は、取り込んだ画像データの中に、プロファイルが埋め込まれている場合は、そのプロファイルを入力プロファイルとして色変換手段２５へ出力する。また、画像データ取り込み手段２１は、取り込んだ画像データの中に、プロファイル情報が記載されている場合は、当該プロファイル情報を色変換手段２５へ出力する。
また、画像データ取り込み手段２１は、取り込んだ画像データの中に、プロファイル情報又はプロファイルのいずれも添付されていない場合は、添付（付与）データがないという情報を色変換手段２５へ出力する。
【００５０】
選択手段２２は、ユーザに、照明光の選択肢を表示して、画像データの色変換に用いる照明光を選択させるものである。選択手段２２は、選択された照明光の選択の情報を、色変換手段２５に出力する。
【００５１】
具体的には、選択手段２２は、例えば、図６のような、照明光（照明のタイプ）の選択画面を表示部１２に表示して、ユーザに選択させる。同様に、ユーザは、操作部１３（又はタッチパネルディスプレイとなっている場合には、表示部１２）から、照明光を選択する。ここで、ユーザが選択する照明光は、画像データの色変換に用いる出力プロファイルを選択するための情報となるものであり、ユーザが画像データを印刷したプリント物を普段観察するときの照明光である。
図６では、照明光（照明のタイプ）として、自然光、白熱灯、蛍光灯１、蛍光灯２、ＬＥＤ１、及び、ＬＥＤ２を示したが、照明光は、これに限られるものではない。
【００５２】
なお、選択手段２２は、さらに、ユーザに、画像補正方法の選択肢を表示して、画像データの画像補正方法を選択させてもよい。このとき、選択手段２２は、選択された画像補正方法の選択の情報を、画像補正手段２３に出力する（図示しない）。
【００５３】
選択手段２２は、例えば、図７のような、画像補正方法の選択画面を表示部１２に表示して、ユーザに選択させる。このとき、選択手段２２は、複数の画像補正方法をユーザに選択させてもよい。ユーザは、操作部１３（又はタッチパネルディスプレイとなっている場合には、表示部１２）から、画像補正方法を選択する。
図７では、画像補正方法として、明るさ補正、コントラスト補正、シャープネス補正、ノイズ除去補正、飛び補正、及び、潰れ補正を示したが、画像補正方法は、これに限られるものではない。
【００５４】
なお、図６及び図７の選択画面の表示は、ユーザが直観的で分かりやすい方法で表示すればよい。図６では、実際の照明光の雰囲気を表現したイメージで表示したが、例えば、照明光そのもののイメージでもよい。
【００５５】
画像補正手段２３は、ユーザが好む色品質に画像データを自動補正するものである。具体的には、画像補正手段２３は、画像データ取り込み手段２１から、画像データを入力し、１つ以上の所定の画像補正方法によって画像データを自動補正し、補正した画像データを色変換手段２５へ出力する。
【００５６】
画像補正方法には、例えば、明るさ補正、コントラスト補正、ホワイトバランス補正、シャープネス補正、ノイズ除去補正、飛び補正、潰れ補正等があり、これらの補正には、公知の技術を用いる。
【００５７】
なお、画像補正手段２３は、選択手段２２から、画像補正方法の選択の情報を入力される場合には（図示しない）、画像データに対し自動補正を適用せず、選択された１つ以上の画像補正方法によって画像データを補正し、補正した画像データを色変換手段２５へ出力してもよい。
【００５８】
記憶手段２４は、選択手段２２において選択される各照明光に対応付けられた出力プロファイル、入力プロファイルの候補となるプロファイル群（１つ以上のプロファイル）を記憶するものである。
【００５９】
出力プロファイルは、プリント物を印刷する印刷手段（プリンタ）に固有のＣＭＹＫ色空間と、デバイスに依存しないＬ＊ａ＊ｂ＊（又はＸＹＺ）色空間との、色の対応関係を示す情報で、図２（ｂ）に示したＬＵＴ型プロファイルである。出力プロファイルの作成法については、後述する（図９）。
入力プロファイルは、画像データを撮影したデジタルカメラ等に固有のＲＧＢ色空間と、デバイスに依存しないＬ＊ａ＊ｂ＊（又はＸＹＺ）色空間との、色の対応関係を示す情報で、マトリクス型プロファイル、又は、図２（ａ）に示したＬＵＴ型プロファイルである。
【００６０】
色変換手段２５は、入力プロファイルと、照明光に紐づけられた出力プロファイルとによって、画像データを色変換するものである。
【００６１】
具体的には、色変換手段２５は、画像補正手段２３から、補正された画像データを取得する。
また、色変換手段２５は、画像データ取り込み手段２１から、プロファイル情報又は入力プロファイルを取得する。色変換手段２５は、プロファイル情報のみを取得した場合には、記憶手段２４の入力プロファイルの候補となるプロファイル群から、当該プロファイル情報に対応するプロファイルを入力プロファイルとして取得する。
なお、色変換手段２５は、画像データ取り込み手段２１から、プロファイル情報又は入力プロファイルのいずれも取得しない場合には、記憶手段２４の入力プロファイルの候補となるプロファイル群から、任意のプロファイルを入力プロファイルとして取得する。ここでは、ユーザのデジタルカメラで最も多い色再現（色空間）であるｓＲＧＢプロファイルを取得する。
さらに、色変換手段２５は、選択手段２２から、照明光の選択の情報を取得し、記憶手段２４から、当該照明光に対応する出力プロファイルを取得する。
【００６２】
そして、色変換手段２５は、取得した入力プロファイルと出力プロファイルを使い、画像データの各画素のＲＧＢの値をＣＭＹＫの値に色変換する。その後、色変換手段２５は、色変換した画像データを印刷手段２６に出力する。
【００６３】
印刷手段２６は、色変換手段２５から入力した色変換された画像データを印刷して、プリント物として出力するものである。
【００６４】
［セルフプリント装置の処理］
図８を用いて、セルフプリント装置１の処理の流れを説明する。
まず、セルフプリント装置１の制御部１１１は、画像データ取り込み手段２１によって、画像データ、及び、当該画像データに添付されているプロファイル情報又は入力プロファイルを取り込む（Ｓ１１）。
【００６５】
次に、セルフプリント装置１の制御部１１１は、画像補正手段２３によって、ユーザが好む色品質に画像データの自動画像補正を行う（Ｓ１２）。
【００６６】
次に、セルフプリント装置１の制御部１１１は、選択手段２２によって、表示部１２に図６に示すような照明光（照明のタイプ）の選択画面を表示し、ユーザに照明光を選択させる（Ｓ１３）。
【００６７】
次に、セルフプリント装置１の制御部１１１は、プロファイル情報のみを取り込んだ場合には、色変換手段２５によって、記憶手段２４の入力プロファイルの候補となるプロファイル群から、プロファイル情報に対応するプロファイルを入力プロファイルとして取得する（Ｓ１４）。
【００６８】
次に、セルフプリント装置１の制御部１１１は、色変換手段２５によって、記憶手段２４から、選択された照明光に対応する出力プロファイルを取得する（Ｓ１５）。
【００６９】
次に、セルフプリント装置１の制御部１１１は、色変換手段２５によって、入力プロファイルと出力プロファイルとを用いて、画像データを色変換する（Ｓ１６）。
【００７０】
次に、セルフプリント装置１の制御部１１１は、印刷手段２６によって、色変換された画像データを印刷部１６に送信し、セルフプリント装置1の印刷部１６は、画像データを印刷してプリント物を出力する。（Ｓ１７）。
以上で、セルフプリント装置１の処理は、終了である。
【００７１】
なお、本実施形態のセルフプリント装置１は、前述のものに限られず、その趣旨を逸脱しない範囲で変更可能である。
例えば、セルフプリント装置１は、画像データ取り込み手段２１によって、複数の画像データを取り込み、ユーザによって選択させた１つ以上の画像データに対して、前述したセルフプリント装置１の処理を行ってもよい。
【００７２】
［出力プロファイルの作成］
続いて、図９を用いて、出力プロファイルの作成の処理を説明する。セルフプリント装置１は、この処理によって作成された出力プロファイルを、記憶手段２４に記憶する。
【００７３】
まず、セルフプリント装置１は、印刷手段２６（プリンタ）によって、ＣＭＹＫの値が既知のカラーチャートを印刷する（Ｓ２１）。カラーチャートとは、色の表（色見本を配列したもの）であり、色の再現性のチェックに用いられるものである。
【００７４】
次に、カラーチャートを分光光度計等によって測定し、カラーチャートの分光反射スペクトルを得る（Ｓ２２）。この分光反射スペクトルは、プリンタの印字特性となるものである。
【００７５】
次に、照明光の分光スペクトルＰ（λ）と、カラーチャートの分光反射スペクトルＲ（λ）と、人の等色関数スペクトルｘ（λ）、ｙ（λ）、ｚ（λ）とから、次の式によって、ＣＩＥ  ＸＹＺを算出する（Ｓ２３）。これらのスペクトル（分布）は、可視波長域（変数λで表す）において定義されている。なお、本出願では、照明光の分光スペクトルＰ（λ）は、照明光の選択手段２２から選択できる各々の照明光の分光スペクトルを用意しておき、照明光分のＣＩＥ  ＸＹＺを算出する。
【００７６】
【数１】
2014053677.tif 000003
【００７７】
ここで、ｖｉｓは、可視波長域を意味し、積分を可視波長域で行うことを意味する。定数ｋは、Ｙが、Ｒ（λ）＝１（λは可視波長域）としたとき、Ｙ＝１００となるように選んでいる（Ｙ＝１となるように選んでもよい）。
【００７８】
また、ＣＩＥ  ＸＹＺを、次の式によって、ＣＩＥ  Ｌ＊ａ＊ｂ＊に変換してもよい（Ｓ２３）。
【００７９】
【数２】
2014053677.tif 000004
【００８０】
ここで、Ｘｎ、Ｙｎ、Ｚｎは、各照明光（光源）の三刺激値である。
【００８１】
次に、既知のＣＭＹＫの値と、照明光毎に算出したＬ＊ａ＊ｂ＊（又はＸＹＺ）の値から各照明光分の出力プロファイル（図２（ｂ））を作成する（Ｓ２４）。
【００８２】
［実施形態の効果］
本実施形態のセルフプリント装置１によって、個々のユーザの観察頻度の高い照明光に適した色再現がなされたプリント物を提供することができる。
【００８３】
以上、添付図面を参照しながら、本発明に係るセルフプリント装置１の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８４】
１        セルフプリント装置
２１      画像データ取り込み手段
２２      選択手段
２３      画像補正手段
２４      記憶手段
２５      色変換手段
２６      印刷手段
【図１】
2014053677.tif 000005
【図２】
2014053677.tif 000006
【図３】
2014053677.tif 000007
【図４】
2014053677.tif 000008
【図５】
2014053677.tif 000009
【図７】
2014053677.tif 000010
【図８】
2014053677.tif 000011
【図９】
2014053677.tif 000012
【図６】
2014053677.tif 000013